(57)【特許請求の範囲】
【請求項１】
第１のスイッチ素子を備え前記第１のスイッチ素子のオンとオフの切り替えにより直流の入力電力を所定の電力に変換してＬＥＤ光源に出力する電源回路と、
前記第１のスイッチ素子と電気的に直列に接続された第１の抵抗を備え前記ＬＥＤ光源に流れる電流に比例した検出電圧値を出力する電流検出部と、
前記検出電圧値が所定の基準値に一致するように前記第１のスイッチ素子を制御する制御回路と、
前記ＬＥＤ光源の光出力を調整する調光部と、を備え、
前記調光部は、調光信号に基づいて、同じ電流値に対し前記検出電圧値を段階的に変化させるように構成されていることを特徴とするＬＥＤ点灯回路。
【請求項２】
前記調光部は、第２の抵抗と、第３の抵抗と、第２のスイッチ素子と、を有し、
前記第２の抵抗と前記第３の抵抗とは、電気的に直列に接続され、前記第２の抵抗と前記第３の抵抗との直列回路は、前記第１の抵抗と電気的に並列に接続され、
前記第２のスイッチ素子は、前記第３の抵抗と電気的に並列に接続されており、
前記調光部は、前記調光信号に基づいて、前記第２のスイッチ素子のオンとオフとが制御されるように構成されていることを特徴とする請求項１に記載のＬＥＤ点灯回路。
【請求項３】
電源部を備え、
前記調光部は、第４の抵抗と、コンデンサと、を有し、
前記第４の抵抗と前記コンデンサとは、電気的に直列に接続され、前記第４の抵抗と前記コンデンサとの直列回路は、前記電源部に対して電気的に直列に接続され、
前記第２のスイッチ素子は、電界効果トランジスタで構成されており、
前記第２のスイッチ素子のゲートは、前記第４の抵抗と前記コンデンサとの接続点と電気的に接続されていることを特徴とする請求項２に記載のＬＥＤ点灯回路。
【請求項４】
前記調光部は、前記コンデンサと電気的に並列に接続される第３のスイッチ素子を有しており、
前記第３のスイッチ素子は、前記調光信号によってスイッチングされることを特徴とする請求項３に記載のＬＥＤ点灯回路。
【請求項５】
電源部を備え、
前記制御回路は、前記電源部からの電力により、駆動するように構成されており、
前記電源部と前記制御回路との間には、第４のスイッチ素子が設けられており、
該第４のスイッチ素子は、点灯信号によってオンとオフとを切り替えることにより、前記ＬＥＤ光源を点灯状態と消灯状態とに切り替えるように構成されていることを特徴とする請求項２ないし請求項４のいずれか１項に記載のＬＥＤ点灯回路。
【請求項６】
外部から制御信号が入力される点灯制御部を備え、
前記点灯制御部は、制御信号に基づいて、前記点灯信号と前記調光信号を各別に出力することで、前記ＬＥＤ光源を点灯状態と調光状態と消灯状態との何れかの状態に切り替えるように構成されていることを特徴とする請求項５に記載のＬＥＤ点灯回路。
【請求項７】
前記点灯制御部は、明るさを感知する照度センサからの照度信号が前記制御信号として入力できるように、前記照度センサと電気的に接続されていることを特徴とする請求項６に記載のＬＥＤ点灯回路。
【請求項８】
前記点灯制御部は、人の有無を検知する人検知センサからのセンサ信号が前記制御信号として入力できるように、前記人検知センサと電気的に接続されていることを特徴とする請求項６に記載のＬＥＤ点灯回路。
【請求項９】
請求項１ないし請求項８のいずれか１項に記載の前記ＬＥＤ点灯回路と、該ＬＥＤ点灯回路からの出力に基づいて点灯する前記ＬＥＤ光源と、を備えたことを特徴とする照明器具。
【発明の詳細な説明】
【技術分野】
【０００１】
本発明は、ＬＥＤ点灯回路及びそれを備えた照明器具に関する。
【背景技術】
【０００２】
従来、ＬＥＤ(light emitting diode)光源を調光できるＬＥＤ点灯回路が利用されている。
【０００３】
この種のＬＥＤ点灯回路を用いたＬＥＤ点灯装置としては、電源回路と、電流検出部と、制御回路と、を備えた構造が知られている（たとえば、特許文献１）。
【０００４】
特許文献１のＬＥＤ点灯装置では、電源回路は、発光ダイオードに負荷電流を供給する。電流検出部は、電源回路に対して発光ダイオードと直列に接続されている。電流検出部は、発光ダイオードに流れる負荷電流に比例した検出電圧を出力する。制御回路は、電流検出部の検出電圧と基準電圧を比較し、検出電圧が基準電圧に一致するように電源回路の出力を調整する。
【０００５】
電流検出部は、発光ダイオードに直列接続される第１の固定抵抗と、第１の固定抵抗に並列接続される１乃至複数個の固定抵抗と可変抵抗の直列回路と、を具備している。特許文献１のＬＥＤ点灯装置では、操作された可変抵抗の抵抗値に応じて、発光ダイオードの光束を増減することができる、としている。
【先行技術文献】
【特許文献】
【０００６】
【特許文献１】特開２０１２−１８２１８９号公報
【発明の概要】
【発明が解決しようとする課題】
【０００７】
ところで、ＬＥＤ点灯回路では、比較的簡単に調光制御できる構造が求められており、可変抵抗を操作する上述の特許文献１の構成だけでは十分でなく、更なる改良が求められている。
【０００８】
本発明の目的は、比較的簡単に調光制御できるＬＥＤ点灯回路及びそれを備えた照明器具を提供することにある。
【課題を解決するための手段】
【０００９】
本発明のＬＥＤ点灯回路は、電源回路と、電流検出部と、制御回路と、調光部と、を備えている。上記電源回路は、第１のスイッチ素子を備えている。上記電源回路は、上記第１のスイッチ素子のオンとオフの切り替えにより、直流の入力電力を所定の電力に変換する。上記電源回路は、変換した所定の電力を上記ＬＥＤ光源に出力する。上記電流検出部は、第１の抵抗を備えている。上記第１の抵抗は、上記第１のスイッチ素子と電気的に直列に接続されている。上記電流検出部は、上記ＬＥＤ光源に流れる電流に比例した検出電圧値を出力する。上記制御回路は、上記検出電圧値が所定の基準値に一致するように、上記第１のスイッチ素子を制御する。上記調光部は、上記ＬＥＤ光源の光出力を調整する。上記調光部は、調光信号に基づいて、同じ電流値に対し上記検出電圧値を段階的に変化させるように構成されていることを特徴とする。
【００１０】
本発明の照明器具は、上述の上記ＬＥＤ点灯回路と、上記ＬＥＤ光源と、を備えている。上記ＬＥＤ光源は、上記ＬＥＤ点灯回路からの出力に基づいて点灯することを特徴とする。
【発明の効果】
【００１１】
本発明のＬＥＤ点灯回路は、比較的簡単に調光制御できる、という効果がある。
【００１２】
本発明の照明器具は、比較的簡単に調光制御できるＬＥＤ点灯回路を備えた構成にできる、という効果がある。
【図面の簡単な説明】
【００１３】
【図１】図１は、本発明の実施形態１のＬＥＤ点灯回路を示す回路図である。
【図２】図２は、本発明の実施形態１に係る照明器具を示す斜視図である。
【図３】図３は、同上の照明器具の点灯制御を説明するタイミング図である。
【図４】図４は、同上の照明器具の調光制御を説明するタイミング図である。
【図５】図５は、本発明の実施形態２のＬＥＤ点灯回路を示す回路図である。
【図６】図６は、本発明の実施形態２に係る照明器具の点灯制御を説明するタイミング図である。
【図７】図７は、同上の照明器具の調光制御を説明するタイミング図である。
【図８】図８は、同上の照明器具を示す模式的な断面図である。
【発明を実施するための形態】
【００１４】
（実施形態１）
以下では、本実施形態のＬＥＤ点灯回路１０を備えた照明器具２０について、図１ないし図４を参照して説明する。図中においては、同じ部材に対し、同じ符号を付して重複する説明を省略する。各図面が示す部材の大きさや位置関係は、説明を明確にするために誇張していることがある。以下の説明において、本実施形態を構成する各要素は、複数の要素を一の部材で構成して一の部材で複数の要素を兼用する態様としてもよいし、一の部材の機能を複数の部材で分担して実現してもよい。
【００１５】
本実施形態のＬＥＤ点灯回路１０は、図１に示すように、電源回路１と、電流検出部２ａと、制御回路２と、調光部３と、を備えている。電源回路１は、第１のスイッチ素子Ｑ１を備えている。電源回路１は、第１のスイッチ素子Ｑ１のオンとオフの切り替えにより、直流の入力電力を所定の電力に変換する。電源回路１は、変換した所定の電力をＬＥＤ光源２１に出力する。電流検出部２ａは、第１の抵抗Ｒ１を備えている。第１の抵抗Ｒ１は、第１のスイッチ素子Ｑ１と電気的に直列に接続されている。電流検出部２ａは、ＬＥＤ光源２１に流れる電流に比例した検出電圧値を出力する。制御回路２は、検出電圧値が所定の基準値に一致するように、第１のスイッチ素子Ｑ１を制御する。調光部３は、ＬＥＤ光源２１の光出力を調整する。調光部３は、調光信号に基づいて、同じ電流値に対し検出電圧値を段階的に変化させるように構成されている。
【００１６】
本実施形態のＬＥＤ点灯回路１０は、調光部３が、調光信号に基づいて、同じ電流値に対し検出電圧値を段階的に変化させる構成で、比較的簡単に調光制御できる。
【００１７】
以下では、本実施形態のＬＥＤ点灯回路１０を備えた照明器具２０について、より具体的に説明する。照明器具２０は、ＬＥＤ点灯回路１０と、ＬＥＤ光源２１と、を備えている。ＬＥＤ光源２１は、ＬＥＤ点灯回路１０からの出力に基づいて点灯する。
【００１８】
本実施形態に係る照明器具２０は、図１に示すように、ＬＥＤ点灯回路１０とＬＥＤ光源２１に加え、電源装置２４と、センサ部２５と、を備えている。本実施形態のＬＥＤ点灯回路１０は、電源回路１と電流検出部２ａと制御回路２と調光部３に加え、点灯制御部４と、第４のスイッチ素子Ｑ４と、電源部５と、を備えている。照明器具２０は、外部電源４０と電源装置２４とが電気的に接続されている。外部電源４０は、たとえば、商用交流電源が用いられる。
【００１９】
電源装置２４は、フィルタ回路２４ａと、全波整流器２４ｂと、昇圧回路２４ｃと、を備えている。フィルタ回路２４ａは、電源装置２４から外部電源４０へノイズが伝わることを防ぐことができるように構成されている。フィルタ回路２４ａは、たとえば、コモンモードチョークコイルと、アクロス・ザ・ラインコンデンサを用いて構成することができる。全波整流器２４ｂは、ダイオードブリッジで構成されている。全波整流器２４ｂは、フィルタ回路２４ａを介して、外部電源４０と電気的に接続されている。全波整流器２４ｂは、外部電源４０から供給される交流電圧・交流電流を全波整流して出力することができるように構成されている。昇圧回路２４ｃは、たとえば、チョークコイルとスイッチ素子と整流素子と平滑コンデンサとを備えた昇圧チョッパ回路を構成している。昇圧回路２４ｃは、全波整流器２４ｂから出力される脈流電圧を昇圧することができるように構成されている。
【００２０】
電源回路１は、電源装置２４の昇圧回路２４ｃから出力される直流電圧が印加される。電源回路１は、ＤＣ−ＤＣコンバータを構成している。電源回路１は、電源装置２４から供給される直流の入力電圧を、より低い所定の直流の出力電圧に変換して出力する。電源回路１は、変換した出力電圧をＬＥＤ光源２１に出力できるように構成されている。電源回路１は、第１のスイッチ素子Ｑ１に加え、整流素子Ｄ１と、インダクタＬ１と、平滑コンデンサＣ１と、を備えている。電源回路１は、第１のスイッチ素子Ｑ１と整流素子Ｄ１とインダクタＬ１と平滑コンデンサＣ１とで、降圧チョッパ回路を構成している。
【００２１】
第１のスイッチ素子Ｑ１は、電界効果トランジスタで構成されている。第１のスイッチ素子Ｑ１のドレインは、整流素子Ｄ１のアノードと電気的に接続されている。第１のスイッチ素子Ｑ１のドレインと、整流素子Ｄ１のアノードとの接続点には、インダクタＬ１の一端が電気的に接続されている。インダクタＬ１の他端は、整流素子Ｄ１のカソードとの間で平滑コンデンサＣ１を電気的に接続している。平滑コンデンサＣ１の両端には、ＬＥＤ光源２１が電気的に接続される。
【００２２】
第１のスイッチ素子Ｑ１のソースは、電流検出部２ａの第１の抵抗Ｒ１を介して、電源装置２４の負極及びグランドと接続されている。言い換えれば、照明器具２０は、第１のスイッチ素子Ｑ１と第１の抵抗Ｒ１との直列回路が、電源装置２４とＬＥＤ光源２１との直列回路に電気的に直列に接続されている。電源回路１では、第１のスイッチ素子Ｑ１を構成する電界効果トランジスタのゲートに、制御回路２から駆動信号が与えられる。
【００２３】
制御回路２は、第１のスイッチ素子Ｑ１のオンとオフとを制御する。ＬＥＤ点灯回路１０では、第１のスイッチ素子Ｑ１がオンの場合、インダクタＬ１に電流が流れる。制御回路２は、第１のスイッチ素子Ｑ１がオンの場合、インダクタＬ１に流れる電流が所定値に達すると、第１のスイッチ素子Ｑ１をオフに制御する。ＬＥＤ点灯回路１０では、第１のスイッチ素子Ｑ１がオフに制御されると、インダクタＬ１から整流素子Ｄ１を介してＬＥＤ光源２１に電流が流れる。
【００２４】
制御回路２は、電源部５と電気的に接続されている。電源部５は、電源装置２４の昇圧回路２４ｃの出力電圧から制御回路２の駆動電力を生成するように構成されている。電源部５は、電源装置２４からの出力電圧で、制御回路２の駆動電力を生成する構成だけに限られない。電源部５は、制御回路２の駆動電力を出力できれば、電源装置２４と別途に設けられた電池などであってもよい。制御回路２は、電源部５からの電力で駆動するように構成されている。制御回路２は、電流検出部２ａの第１の抵抗Ｒ１の両端間と電気的に接続されている。第１の抵抗Ｒ１の一端は、電源回路１における第１のスイッチ素子Ｑ１のソースと電気的に接続されている。第１の抵抗Ｒ１の一端と反対の他端は、グランドと電気的に接続されている。第１の抵抗Ｒ１は、固定抵抗が用いられているが、可変抵抗が用いられてもよい。制御回路２は、ＬＥＤ光源２１に流れる電流に比例した検出電圧値が入力されるように構成されている。制御回路２は、たとえば、ドライバＩＣを用いて構成することができる。
【００２５】
制御回路２は、たとえば、検出電圧値と所定の基準値の電圧との差分を誤差増幅器で増幅し、誤差が小さくなるように調整された方形パルスからなる駆動信号を出力する。制御回路２は、駆動信号を第１のスイッチ素子Ｑ１のゲートに与えて、第１のスイッチ素子Ｑ１のオンとオフとを制御する。制御回路２は、所定のスイッチング周期で駆動信号をハイレベルに立ち上げて第１のスイッチ素子Ｑ１をオンにし、インダクタ電流のピーク値が目標値に達した時点で駆動信号をローレベルに立ち下げてオフにする。制御回路２は、第１のスイッチ素子Ｑ１のオンとオフとを制御し、ＬＥＤ光源２１に流れる電流が一定となるように電源回路１を定電流制御している。制御回路２は、インダクタ電流のピーク値に基づいて第１のスイッチ素子Ｑ１を制御する構成だけに限られない。制御回路２は、第１のスイッチ素子Ｑ１がオフの場合、インダクタＬ１から整流素子Ｄ１を介してＬＥＤ光源２１に流れる電流を検知し、電流がゼロになると、第１のスイッチ素子Ｑ１をオンするように構成させてもよい。
【００２６】
調光部３は、第２抵抗Ｒ２と、第３抵抗Ｒ３と、第２のスイッチ素子Ｑ２と、を有している。調光部３は、第２抵抗Ｒ２と第３抵抗Ｒ３と第２のスイッチ素子Ｑ２とに加え、第３のスイッチ素子Ｑ３と、第４抵抗Ｒ４と、を有している。第２のスイッチ素子Ｑ２は、電界効果トランジスタで構成されている。
【００２７】
第２抵抗Ｒ２と第３抵抗Ｒ３とは、電気的に直列に接続されている。第２抵抗Ｒ２と第３抵抗Ｒ３との直列回路は、第１の抵抗Ｒ１と電気的に並列に接続されている。第２抵抗Ｒ２と第３抵抗Ｒ３との接続点は、第２のスイッチ素子Ｑ２を構成する電界効果トランジスタのドレインと電気的に接続されている。第３抵抗Ｒ３は、第２抵抗Ｒ２との接続点と反対側が第２のスイッチ素子Ｑ２のソースと電気的に接続されている。第２のスイッチ素子Ｑ２のゲートは、第３のスイッチ素子Ｑ３を構成するトランジスタのコレクタと第４の抵抗Ｒ４の一端と電気的に接続されている。第４の抵抗Ｒ４の一端と反対の他端は、第４スイッチＱ４を介して、電源部５と電気的に接続されている。第３のスイッチ素子Ｑ３のエミッタは、グランドと電気的に接続されている。第３のスイッチ素子Ｑ３のベースは、調光信号が入力できるように、点灯制御部４と電気的に接続されている。
【００２８】
調光部３は、点灯制御部４から入力される調光信号に基づいて、第３のスイッチ素子Ｑ３を介して、第２のスイッチ素子Ｑ２のオンとオフとが制御される。調光部３は、第２のスイッチ素子Ｑ２がスイッチング制御されることで、第１の抵抗Ｒ１と第２の抵抗Ｒ２とが並列接続された状態と、第１の抵抗Ｒ１と、第２抵抗Ｒ２と第３抵抗Ｒ３の直列回路とが並列接続された状態とに切り替わる。調光部３では、第２のスイッチ素子Ｑ２がオン状態の場合、第３の抵抗Ｒ３が短絡状態となる。調光部３は、第２のスイッチ素子Ｑ２がオン状態の場合、第１の抵抗Ｒ１と第２の抵抗Ｒ２との並列回路が、ＬＥＤ光源２１に流れる電流に比例した電圧を検出することができる。言い換えれば、第２のスイッチ素子Ｑ２がオン状態の場合、第１の抵抗Ｒ１と第２の抵抗Ｒ２との並列回路は、ＬＥＤ２１に流れる電流に比例した検出電圧値を検出する分圧回路を構成する。すなわち、調光部３の一部は、電流検出部２ａの一部を構成しているともいえる。
【００２９】
調光部３は、第２のスイッチ素子Ｑ２がオフ状態の場合、第１の抵抗Ｒ１と、第２抵抗Ｒ２と第３抵抗Ｒ３の直列回路とが電気的に並列に接続される。第２のスイッチ素子Ｑ２がオフ状態の場合、第１の抵抗Ｒ１と、第２抵抗Ｒ２と第３抵抗Ｒ３の直列回路とが電気的に並列に接続された並列回路は、ＬＥＤ２１に流れる電流に比例した検出電圧値を検出する分圧回路を構成する。制御回路２では、第１の抵抗Ｒ１と、第２抵抗Ｒ２と第３抵抗Ｒ３の直列回路とが電気的に並列に接続された分圧回路に基づいて、ＬＥＤ光源２１に流れる電流に比例した電圧を検出する。第２の抵抗Ｒ２は、固定抵抗が用いられているが、可変抵抗が用いられてもよい。第３の抵抗Ｒ３は、固定抵抗が用いられているが、可変抵抗が用いられてもよい。
【００３０】
調光部３では、第２のスイッチ素子Ｑ２のオンとオフとの切り替えにより、第３の抵抗Ｒ３の短絡の有無により、分圧回路の分圧比を段階的に変化させることで、ＬＥＤ光源２１に流れる電流に比例した検出電圧値を段階的に変化させることができる。制御回路２は、調光部３が第２のスイッチ素子Ｑ２のオンとオフとの切り替えに応じて、入力される検出電圧値が段階的に変化するので、ＬＥＤ光源２１に流れる電流を増減させて調光制御させることができる。
【００３１】
すなわち、本実施形態のＬＥＤ点灯回路１０では、調光部３は、第２の抵抗Ｒ２と、第３の抵抗Ｒ３と、第２のスイッチ素子Ｑ２と、を有している。第２の抵抗Ｒ２と第３の抵抗Ｒ３とは、電気的に直列に接続されている。第２の抵抗Ｒ２と第３の抵抗Ｒ３との直列回路は、第１の抵抗Ｒ１と電気的に並列に接続されている。第２のスイッチ素子Ｑ２は、第３の抵抗Ｒ３と電気的に並列に接続されている。調光部３は、調光信号に基づいて、第２のスイッチ素子Ｑ２のオンとオフとが制御されるように構成されていることが好ましい。
【００３２】
本実施形態のＬＥＤ点灯回路１０は、第２のスイッチ素子Ｑ２のオンとオフとの制御により、第２の抵抗Ｒ２と、第３の抵抗Ｒ３との電気的な接続状態を替える比較的に簡単な構成で、段階的に調光する段調光をＬＥＤ光源２１に行わせることができる。
【００３３】
点灯制御部４は、点灯信号を、第４のスイッチ素子Ｑ４へ出力できるように構成されている。点灯制御部４は、点灯信号により、電源回路１の駆動を制御する。点灯信号は、ハイレベルとローレベルの２値信号としている。点灯制御部４は、調光信号を、調光部３へ出力できるように構成されている。点灯制御部４は、調光信号により、調光部３を制御する。調光信号は、ハイレベルとローレベルの２値信号としている。点灯制御部４は、たとえば、マイクロコンピュータなどを利用して構成することができる。マイクロコンピュータには、メモリ４ａが内蔵されている。マイクロコンピュータは、メモリ４ａに記憶させた適宜のプログラムにより駆動する。点灯制御部４は、センサ部２５と電気的に接続されている。点灯制御部４は、センサ部２５から受け取ったセンサ信号を、メモリ４ａに記憶できるように構成されている。マイクロコンピュータは、センサ部２５からセンサ信号を受け取ってから経過した時間を計時するタイマ機能を備えていてもよい。点灯制御部４は、センサ部２５からのセンサ信号が入力されると、第４のスイッチ素子Ｑ４に点灯信号を出力する。第４のスイッチ素子Ｑ４は、点灯信号が入力されオン状態の場合、電源部５から制御回路２へ駆動電力が供給できるように構成されている。第４のスイッチ素子Ｑ４は、点灯信号が入力されオフ状態の場合、電源部５から制御回路２へ駆動電力が供給しないように構成されている。点灯制御部４は、点灯信号により第４のスイッチ素子Ｑ４のオンとオフとを制御して、電源回路１の駆動及び停止を行う。点灯制御部４は、センサ部２５からのセンサ信号に基づいて、調光部３の第３のスイッチ素子Ｑ３に調光信号を出力するように構成されている。
【００３４】
ＬＥＤ光源２１は、複数個のＬＥＤ２１ａの直列回路で構成されている。ＬＥＤ光源２１は、複数個のＬＥＤ２１ａの直列回路の構成だけに限られず、複数個のＬＥＤ２１ａの並列回路で構成されていてもよいし、複数個のＬＥＤ２１ａの直並列回路で構成されていてもよい。
【００３５】
センサ部２５は、照度センサ２５ａと、人検知センサ２５ｂと、を備えている。人検知センサ２５ｂは、たとえば、焦電素子などの赤外線センサを用いて構成することができる。赤外線センサは、たとえば、人体から発せられる熱線を検出する。なお、熱線は、赤外領域の電磁波である赤外線である。人検知センサ２５ｂは、随時に赤外線を検出する構成でもよいし、予め設定した時間間隔ごとに赤外線を検出する構成であってもよい。言い換えれば、人検知センサ２５ｂは、人体の存在の有無を検知することができるように構成されている。照度センサ２５ａは、たとえば、フォトダイオード若しくはフォトトランジスタを用いて構成することができる。照度センサ２５ａは、周囲の明るさを検知できるように構成されている。センサ部２５は、たとえば、照度センサ２５ａの周囲が所定の明るさ以下で、人検知センサ２５ｂが人の存在を検知した場合、センサ信号を出力する構成とすることができる。センサ部２５は、照度センサ２５ａと人検知センサ２５ｂとを両方備える構成だけに限られない。センサ部２５は、照度センサ２５ａを備える構成だけでもよいし、人検知センサ２５ｂを備える構成だけでもよい。
【００３６】
本実施形態に係る照明器具２０は、図２に示すように、ダウンライトを構成している。ダウンライトは、たとえば、トイレ、廊下や玄関などに設置されて用いられる。照明器具２０は、ＬＥＤ点灯回路１０とＬＥＤ光源２１と電源装置２４とセンサ部２５とに加え、本体部２２と、枠体２３と、電源ユニット２６と、給電線２７と、取付ばね２８と、信号線２９と、を有している。
【００３７】
ＬＥＤ光源２１は、たとえば、複数個のＬＥＤ２１ａが実装基板に実装された構成とすることができる。ＬＥＤ２１ａは、たとえば、ＬＥＤチップと、ＬＥＤチップを覆う封止部と、を有している。ＬＥＤチップは、青色光が発光可能な青色ＬＥＤチップが用いられている。封止部は、透光性材料により形成されている。封止部の材料には、蛍光体が混合されている。蛍光体は、青色ＬＥＤチップから放射される青色光により励起されて、黄色光を放射する黄色蛍光体が用いられている。ＬＥＤ２１ａは、青色ＬＥＤチップから放射される青色光と、黄色蛍光体から放射される黄色光との混色により白色光を放射することができる。ＬＥＤ２１ａは、封止部の材料に、蛍光体が混合されていなくともよい。実装基板は、プリント配線板が用いられている。実装基板は、プリント配線板だけに限られず、たとえば、セラミック基板、金属ベースプリント配線板などが用いられてもよい。ＬＥＤ光源２１は、実装基板におけるＬＥＤチップの実装面と反対側が本体部２２に接するように、本体部２２に搭載される。
【００３８】
本体部２２は、基体２２ａと、レンズ２２ｆと、複数のフィン２２ｊと、を備えている。基体２２ａは、有底円筒状の外形形状をしている。基体２２ａは、内部にＬＥＤ光源２１が収容できるように構成されている。フィン２２ｊは、基体２２ａから外部に向かって突出するように設けられている。フィン２２ｊは、平板状の外形形状をしている。複数のフィン２２ｊは、所定の間隔を隔てて設けられている。基体２２ａは、ＬＥＤ光源２１で発生した熱を、フィン２２ｊを介して、外部に放熱することができる。基体２２ａは、アルミダイキャスト製としている。基体２２ａは、アルミニウムを用いる構成だけに限られない。基体２２ａは、たとえば、樹脂に比べて熱伝導性の高い材料として、銅やステンレスなどの金属材料により形成されていてもよい。
【００３９】
レンズ２２ｆは、円板状の外形形状をしている。レンズ２２ｆは、正面視において、複数のレンズ部２２ｆｃが配置されている。レンズ部２２ｆｃは、ＬＥＤ光源２１からの光を集光や拡散させることができるように形成される。レンズ部２２ｆｃは、凸レンズ、凹レンズやフレネルレンズなどを構成するように形成されている。レンズ２２ｆは、ＬＥＤ光源２１を覆うことができるように配置される。レンズ２２ｆは、ＬＥＤ光源２１からの光を所定の配向特性が得られるように放射することができる。レンズ２２ｆは、全体が透光性を備えている。レンズ２２ｆの材料としては、たとえば、ポリカーボネート樹脂、アクリル樹脂、ポリブチレンテレフタレート樹脂などの樹脂材料やガラスが挙げられる。レンズ２２ｆは、樹脂材料を用いて形成する場合、射出成形などにより形成することができる。
【００４０】
枠体２３は、反射体２３ａと、鍔部２３ｂと、枠本体２３ｃと、保持部２３ｄと、を備えている。反射体２３ａは、本体部２２に取り付けられるＬＥＤ光源２１の光軸に沿って、本体部２２から離れるにつれ開口径が広がるように形成されている。反射体２３ａは、レンズ２２ｆを露出させる露出孔２３ａａを備えている。反射体２３ａは、ＬＥＤ光源２１から放射された光の配光を制御することができる。反射体２３ａは、ＬＥＤ光源２１から放射される光を反射させて、所定の配光が得られるように構成されている。反射体２３ａは、ＬＥＤ光源２１から放射される光の一部をカットして、ＬＥＤ光源２１からの光の広がり角度を所定の範囲内とさせることができる。
【００４１】
鍔部２３ｂは、正面視において、円環状の平板の外形形状をしている。鍔部２３ｂは、反射体２３ａの先端縁から外方に広がるように設けられている。鍔部２３ｂは、正面視において、露出孔２３ａａに向かって突出する突出片２３ｅを有している。突出片２３ｅには、センサ部２５が載せ置かれている。突出片２３ｅは、厚み方向に貫通する透過孔２３ｅａを有している。透過孔２３ｅａは、センサ部２５に対応して設けられている。突出片２３ｅには、透過孔２３ｅａを塞ぐように、照度センサ２５ａと人検知センサ２５ｂとが配置される。突出片２３ｅには、センサ部２５を保護するカバー体２５ｆが設けられている。カバー体２５ｆは、可視光及び赤外線が透過できるように構成されている。カバー体２５ｆの材料としては、たとえば、ポリエチレン樹脂やアクリル樹脂を用いることができる。
【００４２】
枠本体２３ｃは、ねじにより、反射体２３ａと反対側が本体部２２に取り付けられる。保持部２３ｄは、反射体２３ａの外周に沿って、鍔部２３ｂと反射体２３ａとに跨るように設けられている。保持部２３ｄは、取付ばね２８を保持することができるように形成されている。保持部２３ｄは、取付ばね２８の一端部２８ａが挿入できるように構成されている。
【００４３】
枠体２３は、反射体２３ａと鍔部２３ｂと枠本体２３ｃと保持部２３ｄとが一体的に形成されている。枠体２３の材料としては、たとえば、アルミニウムやステンレスなどの金属材料を用いることができる。枠体２３の材料としては、金属材料だけに限られず、各種の樹脂材料が用いられてもよい。
【００４４】
電源ユニット２６は、端子台２６ａと、ハウジング部２６ｂと、を備えている。電源ユニット２６は、ＬＥＤ光源２１の点灯を制御するＬＥＤ点灯回路１０がハウジング部２６ｂに収容されている。電源ユニット２６は、ＬＥＤ点灯回路１０へ電力を供給する電源装置２４がハウジング部２６ｂに収容されている。ＬＥＤ点灯回路１０は、給電線２７を介して、ＬＥＤ光源２１に適宜の電力を給電できるように構成されている。ＬＥＤ点灯回路１０は、信号線２９を介して、センサ信号を受信できるようにセンサ部２５と電気的に接続されている。端子台２６ａは、外部電源４０からの電力を電源装置２４に供給できるように構成されている。端子台２６ａは、電源ケーブル４１を介して、外部電源４０と電気的に接続される。
【００４５】
ハウジング部２６ｂは、長尺の箱状に形成されている。ハウジング部２６ｂは、長手方向の一端側に端子台２６ａが配置成されている。電源ユニット２６は、ＬＥＤ点灯回路１０及び電源装置２４を収容したハウジング部２６ｂが本体部２２から離れて配置できるように、本体部２２と別体に構成されている。ハウジング部２６ｂは、金属製の板材の打ち抜き加工および折り曲げ加工によって形成されている。
【００４６】
取付ばね２８は、長尺の板状の外形形状をしている。取付ばね２８は、側面視において、Ｌ字状に形成されている。取付ばね２８は、長手方向の一端部２８ａが保持部２３ｄに保持されるように構成されている。取付ばね２８は、金属板の打ち抜き加工および折り曲げ加工により形成されている。
【００４７】
以下では、照明器具２０の施工作業について、簡単に説明する。
【００４８】
施工作業では、最初に、外部電源４０からの電源ケーブル４１と、端子台２６ａとが電気的に接続される。施工作業では、電源ケーブル４１と電気的に接続された電源ユニット２６を、造営材たる天井材５０に載せ置くように、電源ユニット２６を天井材５０に設けられた取付孔５０ａａから挿入する。
【００４９】
次に、施工作業では、一端部２８ａが枠体２３に保持された取付ばね２８における一端部２８ａと反対側の他端部２８ｂを、枠本体２３ｃに近づけるように押し倒した状態で、取付孔５０ａａに本体部２２を挿入させる。照明器具２０では、枠体２３の鍔部２３ｂが天井材５０の取付孔５０ａａの周部に当たるまで取付孔５０ａａに押し込まれると、取付ばね２８の他端部２８ｂが枠本体２３ｃから離れる方向に開く。照明器具２０は、取付ばね２８の他端部２８ｂが取付孔５０ａａの周部に取付ばね２８の弾性力を付与し、取付ばね２８の他端部２８ｂと、枠体２３の鍔部２３ｂとで天井材５０を挟み持つことにより、天井材５０に取り付けられる。
【００５０】
すなわち、本実施形態に係る照明器具２０では、天井材５０に設けられた取付孔５０ａａに本体部２２が埋め込まれ、鍔部２３ｂの背面を、天井材５０における取付孔５０ａａの縁部に当てる形で天井材５０に取り付けられる。
【００５１】
以下では、本実施形態に係る照明器具２０の動作について、図３及び図４を参照しながら説明する。
【００５２】
照明器具２０は、照度センサ２５ａの周囲が所定の明るさ以下で、人検知センサ２５ｂが人の存在を検知した場合、センサ部２５がセンサ信号を点灯制御部４に出力する。点灯制御部４は、センサ部２５からセンサ信号を受信した場合、図３に示すように、時刻ｔ１で第４のスイッチ素子Ｑ４に点灯信号を出力する。照明器具２０では、第４のスイッチ素子Ｑ４がオン状態となることで、制御回路２に駆動電力が供給され電源装置２４から所定の直流電力がＬＥＤ光源２１に出力する。点灯制御部４は、センサ部２５からセンサ信号を受信した場合、調光信号を出力しない。
【００５３】
照明器具２０は、点灯制御部４が調光部３へ調光信号が出力しないため、第３のスイッチ素子Ｑ３がオフ状態となり、第４のスイッチ素子Ｑ４を介して、第２のスイッチ素子Ｑ２のゲートに電源部５の電圧が印加される。照明器具２０では、第２のスイッチ素子Ｑ２のゲートに電源部５の電圧が印加されると、第１の抵抗Ｒ１と第２の抵抗Ｒ２との並列回路が構成される。照明器具２０では、第１の抵抗Ｒ１と第２の抵抗Ｒ２との並列回路をＬＥＤ光源２１に流れる電流に比例した検出電圧値を検出する電流検出部２ａと見做すことができる。照明器具２０は、第１の抵抗Ｒ１と第２の抵抗Ｒ２との並列回路で構成された分圧回路に基づいて、検出電圧値が検出される。照明器具２０は、第１の抵抗Ｒ１と第２の抵抗Ｒ２との並列回路を用いて検出された検出電圧値が、予め設定した所定の基準値と一致するように、ＬＥＤ光源２１を定電流駆動する。照明器具２０では、図３に示すように、点灯信号がオンとなるとＬＥＤ光源２１が消灯状態から点灯状態となる。
【００５４】
次に、照明器具２０は、点灯制御部４からの点灯信号でＬＥＤ光源２１が点灯状態の場合、センサ部２５が照明器具２０の周囲が所定の明るさ以下で人検知センサ２５ｂが熱線を検知しなくなると、点灯制御部４が所定時間経過後に調光信号を出力する。照明器具２０は、たとえば、図４に示すように、時刻ｔ２で点灯制御部４が調光部３へ調光信号を出力すると、第３のスイッチ素子Ｑ３がオン状態となり、第２のスイッチ素子Ｑ２のゲートの電圧が低下する。照明器具２０は、第２のスイッチ素子Ｑ２のゲートの電圧が低下し、第２のスイッチ素子Ｑ２がオフ状態となると、第１の抵抗Ｒ１と、第２の抵抗Ｒ２と第３の抵抗Ｒ３との直列回路とで並列回路が形成される。照明器具２０は、第１の抵抗Ｒ１と、第２の抵抗Ｒ２と第３の抵抗Ｒ３の直列回路との並列回路が形成されると、第１の抵抗Ｒ１と第２の抵抗Ｒ２との並列回路で構成された分圧回路と比較して、同じ電流で検出電圧値が高くなる。照明器具２０は、検出電圧値が高くなるので、ＬＥＤ光源２１に流れる電流を小さくし、ＬＥＤ光源２１の調光制御を行うことができる。
【００５５】
次に、照明器具２０は、点灯制御部４からの点灯信号でＬＥＤ光源２１が点灯状態において、点灯制御部４が所定時間内にセンサ部２５から再びセンサ信号を検知すると、点灯制御部４が調光信号を出力しない。照明器具２０は、図４に示すように、点灯制御部４が時刻ｔ３で調光部３へ調光信号の出力を停止すると、第３のスイッチ素子Ｑ３がオフ状態となり、第２のスイッチ素子Ｑ２のゲートの電圧が上昇する。照明器具２０は、第２のスイッチ素子Ｑ２のゲートの電圧が上昇し、第２のスイッチ素子Ｑ２がオン状態となると、第１の抵抗Ｒ１と、第２の抵抗Ｒ２との並列回路が形成される。照明器具２０は、第１の抵抗Ｒ１と、第２の抵抗Ｒ２との並列回路が形成されると、第１の抵抗Ｒ１と、第２の抵抗Ｒ２と第３の抵抗Ｒ３の直列回路との並列回路で形成される分圧回路で検出電圧値が小さくなる。照明器具２０は、検出電圧値が小さくなるので、ＬＥＤ光源２１に流れる電流を大きくし、全点灯の点灯状態にすることができる。
【００５６】
調光部３では、第２のスイッチ素子Ｑ２のオンとオフとの切り替えにより、第３の抵抗Ｒ３を短絡させるか、否かで、ＬＥＤ光源２１と直列接続される分圧回路の分圧比を変えることができる。照明器具２０は、調光部３が分圧回路の分圧比を変えることで、フィードバックにより定電流駆動させる検出電圧値を変動させることで、調光制御を行うことができる。なお、本実施形態に係る照明器具２０では、点灯制御部４は、調光信号を出力した後、センサ信号が入力されることなく、所定時間が経過すれば点灯信号をオフするように構成されている。
【００５７】
言い換えれば、本実施形態のＬＥＤ点灯回路１０では、電源部５を備えている。制御回路２は、電源部５からの電力により、駆動するように構成されている。電源部５と制御回路２との間には、第４のスイッチ素子Ｑ４が設けられている。第４のスイッチ素子Ｑ４は、点灯信号によって、オンとオフとを切り替える。第４のスイッチ素子Ｑ４は、オンとオフとを切り替えることにより、ＬＥＤ光源２１を点灯状態と消灯状態とに切り替えるように構成されていることが好ましい。
【００５８】
本実施形態のＬＥＤ点灯回路１０では、点灯信号によって、オンとオフとを切り替える第４のスイッチ素子Ｑ４を備えた比較的に簡単な構成で、ＬＥＤ光源２１を点灯状態と消灯状態とに切り替えることができる。
【００５９】
本実施形態のＬＥＤ点灯回路１０では、外部から制御信号が入力される点灯制御部４を備えている。点灯制御部４は、制御信号に基づいて、点灯信号と調光信号を各別に出力することで、ＬＥＤ光源２１を点灯状態と調光状態と消灯状態との何れかの状態に切り替えるように構成されていることが好ましい。
【００６０】
本実施形態のＬＥＤ点灯回路１０では、点灯制御部４が外部から入力される制御信号に基づいて、点灯信号と調光信号とを各別に出力する比較的に簡単な構成で、ＬＥＤ光源２１を点灯状態と調光状態と消灯状態との何れかの状態に切り替えることができる。
【００６１】
本実施形態のＬＥＤ点灯回路１０では、点灯制御部４は、明るさを感知する照度センサ２５ａからの照度信号が制御信号として入力できるように、照度センサ２５ａと電気的に接続されていることが好ましい。
【００６２】
本実施形態のＬＥＤ点灯回路１０は、照度センサ２５ａからの照度信号に基づいて、調光制御を行うことができる。
【００６３】
本実施形態のＬＥＤ点灯回路１０では、点灯制御部４は、人の有無を感知する人検知センサ２５ｂからのセンサ信号が制御信号として入力できるように、人検知センサ２５ｂと電気的に接続されていることが好ましい。
【００６４】
本実施形態のＬＥＤ点灯回路１０は、人検知センサ２５ｂからのセンサ信号に基づいて、調光制御を行うことができる。
【００６５】
（実施形態２）
図５に示す本実施形態のＬＥＤ点灯回路１０の回路構成は、図１に示す実施形態１と同様の構成であり、第２のスイッチ素子Ｑ２を構成する電界効果トランジスタのゲートにコンデンサＣ２が接続されている点が主として相違する。本実施形態のＬＥＤ点灯回路１０では、実施形態１と同様の構成要素には同一の符号を付して説明を適宜省略する。
【００６６】
本実施形態のＬＥＤ点灯回路１０では、図５に示すように、電源部５を備えている。調光部３は、第４の抵抗Ｒ４と、コンデンサＣ２と、を有している。第４の抵抗Ｒ４とコンデンサＣ２とは、電気的に直列に接続されている。第４の抵抗Ｒ４とコンデンサＣ２との直列回路は、電源部５に対して電気的に直列に接続されている。第２のスイッチ素子Ｑ２は、電界効果トランジスタで構成されている。第２のスイッチ素子Ｑ２のゲートは、第４の抵抗Ｒ４とコンデンサＣ２との接続点と電気的に接続されている。
【００６７】
本実施形態のＬＥＤ点灯回路１０は、実施形態１と同様に、調光部３が調光信号に基づいて、同じ電流に対し、検出電圧値を段階的に変化させる構成で、比較的簡単に調光制御できる。本実施形態のＬＥＤ点灯回路１０では、第２のスイッチ素子Ｑ２のゲートは、第４の抵抗Ｒ４とコンデンサＣ２との接続点と電気的に接続された構成で、ＬＥＤ光源２１を暗い状態から少しずつ明るくなるフェード動作を行うことができる。
【００６８】
本実施形態のＬＥＤ点灯回路１０では、調光部３は、第３のスイッチ素子Ｑ３を有している。第３のスイッチ素子Ｑ３は、コンデンサＣ２と電気的に並列に接続されている。第３のスイッチ素子Ｑ３は、調光信号によって、スイッチングされることが好ましい。
【００６９】
本実施形態のＬＥＤ点灯回路１０では、調光信号によって、スイッチングされる第３のスイッチ素子Ｑ３により、ＬＥＤ光源２１の点灯をフェード動作で調光制御することができる。
【００７０】
以下では、本実施形態に係る照明器具２０の動作について、図６及び図７を参照しながら説明する。
【００７１】
照明器具２０は、センサ部２５の照度センサ２５ａが照明器具２０の周囲が所定の明るさ以下で、人検知センサ２５ｂが人の存在を検知した場合、センサ部２５がセンサ信号を点灯制御部４に出力する。点灯制御部４は、図６に示すように、時刻ｔ４でセンサ部２５からセンサ信号を受信した場合、第４のスイッチ素子Ｑ４に点灯信号を出力する。照明器具２０では、第４のスイッチ素子Ｑ４がオン状態となることで、電源部５から制御回路２へ駆動電力が供給される。照明器具２０では、第４のスイッチ素子Ｑ４がオン状態となることで、電源装置２４から所定の直流電力がＬＥＤ光源２１に出力される。
【００７２】
照明器具２０は、点灯制御部４がセンサ部２５からセンサ信号を受信した場合、点灯制御部４が調光部３へ調光信号を出力しない。照明器具２０は、調光部３へ調光信号が出力されない場合、第３のスイッチ素子Ｑ３がオフ状態となっている。
【００７３】
照明器具２０は、点灯制御部４が点灯信号の出力後、調光部３へ調光信号が出力されない場合、第４のスイッチ素子Ｑ４及び第４の抵抗Ｒ４を介して、コンデンサＣ２に電荷が蓄積される。照明器具２０は、第３のスイッチ素子Ｑ３がオフ状態の場合、第２のスイッチ素子Ｑ２のゲートにコンデンサＣ２の端子電圧が印加される。照明器具２０は、コンデンサＣ２への電荷の蓄積が少ない場合、第２のスイッチ素子Ｑ２のゲートに印加される電圧が所定の電圧値に達するまで、第２のスイッチ素子Ｑ２がオフ状態となる。照明器具２０は、第２のスイッチ素子Ｑ２がオフ状態の場合、第１の抵抗Ｒ１と、第２の抵抗Ｒ２と第３の抵抗Ｒ３の直列回路とが並列に電気的に接続された並列回路を構成する。照明器具２０では、第１の抵抗Ｒ１と、第２の抵抗Ｒ２と第３の抵抗Ｒ３の直列回路とが並列に電気的に接続された分圧回路で検出された検出電圧値が所定の基準値に一致するように、制御回路２が電源回路１を制御する。照明器具２０は、点灯信号の出力直後から、ＬＥＤ光源２１を調光状態で点灯する。
【００７４】
調光部３では、第４のスイッチ素子Ｑ４及び第４の抵抗Ｒ４を介して、電源部５からコンデンサＣ２に供給される電力でコンデンサＣ２の充電が完了するまでは、第２のスイッチ素子Ｑ２が完全にオン状態とならない。第２のスイッチ素子Ｑ２は、コンデンサＣ２の充電が完了するまでは、コンデンサＣ２への電荷の蓄積が増える。第２のスイッチ素子Ｑ２は、第２のスイッチ素子Ｑ２のゲートに印加される電圧が所定の電圧値を超える時刻ｔ５まで、オフ状態となっている。照明器具２０では、時刻ｔ４から第２のスイッチ素子Ｑ２が駆動し始める時刻ｔ５まで、ＬＥＤ光源２１を調光状態で点灯する。第２のスイッチ素子Ｑ２は、時刻ｔ５の後、第２のスイッチ素子Ｑ２のゲートに印加される電圧が所定の電圧値を超えると、コンデンサＣ２の端子電圧の上昇に伴って第２のスイッチ素子Ｑ２のソースとドレインとの間に流れる電流が上昇する。
【００７５】
照明器具２０は、ＬＥＤ光源２１がコンデンサＣ２への充電にともなって、調光状態から点灯状態に徐々に変えることで、フェード動作を行うことができる。照明器具２０は、時刻ｔ６でコンデンサＣ２の充電が完了し、第２のスイッチ素子Ｑ２が完全にオン状態の場合、第１の抵抗Ｒ１と第２の抵抗Ｒ２との並列回路の抵抗値に基づいて、検出電圧値が検出される。照明器具２０は、第１の抵抗Ｒ１と第２の抵抗Ｒ２との並列回路の抵抗値に基づいて、検出電圧値が予め設定した所定の基準値と一致するように、ＬＥＤ光源２１を定電流駆動する。
【００７６】
次に、照明器具２０は、点灯制御部４からの点灯信号でＬＥＤ光源２１が点灯状態の場合、センサ部２５からのセンサ信号が入力されない場合、所定時間経過後に点灯制御部４が調光信号を出力する。照明器具２０は、図７に示すように、時刻ｔ７で点灯制御部４が調光部３へ調光信号が出力すると、第３のスイッチ素子Ｑ３がオン状態となり、第２のスイッチ素子Ｑ２のゲートの電圧が低下する。照明器具２０は、第２のスイッチ素子Ｑ２のゲートの電圧が低下し、第２のスイッチ素子Ｑ２がオフ状態となると、第１の抵抗Ｒ１と、第２の抵抗Ｒ２と第３の抵抗Ｒ３の直列回路との並列回路が形成される。照明器具２０は、同じ電流値に対し、第１の抵抗Ｒ１と、第２の抵抗Ｒ２と第３の抵抗Ｒ３の直列回路との並列回路で形成される分圧回路で検出される検出電圧値が大きくなるため、ＬＥＤ光源２１に流れる電流を小さくし、ＬＥＤ光源２１の調光制御を行うことができる。
【００７７】
次に、照明器具２０は、点灯制御部４からの点灯信号でＬＥＤ光源２１が点灯状態の場合、センサ部２５から再びセンサ信号が入力されると、点灯制御部４から調光部３へ調光信号が出力されなくなる。照明器具２０は、図７に示すように、時刻ｔ８で点灯制御部４が調光部３への調光信号の出力を停止すると、第２のスイッチ素子Ｑ２がオフ状態となり、第２のスイッチ素子Ｑ２のゲートの電圧がコンデンサＣ２の電荷の蓄積に応じて時刻ｔ９から徐々に上昇する。照明器具２０は、第２のスイッチ素子Ｑ２のゲートの電圧が上昇し、第２のスイッチ素子Ｑ２が完全にオン状態となると、第１の抵抗Ｒ１と、第２の抵抗Ｒ２との並列回路が形成される。照明器具２０は、第１の抵抗Ｒ１と、第２の抵抗Ｒ２との並列回路が形成されると、第１の抵抗Ｒ１と、第２の抵抗Ｒ２と第３の抵抗Ｒ３の直列回路との並列回路が形成される場合と比較して、同じ電流値に対し検出電圧値が小さくなる。照明器具２０は、検出電圧値が小さくなると、ＬＥＤ光源２１に流れる電流が大きくなり、全点灯の点灯状態することができる。
【００７８】
調光部３では、第２のスイッチ素子Ｑ２のオンとオフとの切り替えにより、コンデンサＣ２を利用して、第３の抵抗Ｒ３を短絡させるタイミングを調整することができる。照明器具２０は、調光部３が分圧回路の分圧比を徐々に変えることで、フィードバックにより定電流駆動させる検出電圧値を徐々に変動させ、フェード動作を備えた調光制御を行うことができる。
【００７９】
次に、本実施形態に係る照明器具２０を図８に基づいて説明する。照明器具２０は、たとえば、天井材５０に直接設置されるシーリングライトを構成している。
【００８０】
本実施形態に係る照明器具２０は、ＬＥＤ点灯回路１０と電源装置２４とセンサ部２５とを筐体２６ｓに一体的に備えた点が図２に示す実施形態１に係る照明器具２０と相違している。
【００８１】
照明器具２０では、複数の電子部品２６ｄが実装された回路基板２６ｅを用いて、ＬＥＤ点灯回路１０と電源装置２４とが形成されている。電源装置２４は、天井材５０から導出された電源ケーブル４１と電気的に接続されている。照明器具２０は、センサ部２５が搭載された配線基板２６ｆに複数のＬＥＤ２１ａが実装されている。照明器具２０では、ＬＥＤ２１ａと、ＬＥＤ２１ａが実装された配線基板２６ｆとで、ＬＥＤ光源２１を構成している。照明器具２０は、有底筒状の筐体２６ｓ内に、ＬＥＤ点灯回路１０とＬＥＤ光源２１と電源装置２４とが収納されている。回路基板２６ｅと配線基板２６ｆとは、配線コード２９ｃにより電気的に接続されている。照明器具２０は、筐体２６ｓの開口を塞ぎ、ＬＥＤ光源２１を覆うようにレンズ２２ｆが設けられている。本実施形態のＬＥＤ点灯回路１０は、実施形態１に係る照明器具２０の構成に適用させてもよい。
【００８２】
本発明は、上述の実施形態に限定されず、本発明に係る技術的思想を逸脱しない範囲で、種々変更することができる。
【符号の説明】
【００８３】
Ｃ２  コンデンサＣ２
Ｑ１  第１のスイッチ素子
Ｑ２  第２のスイッチ素子
Ｑ３  第３のスイッチ素子
Ｑ４  第４のスイッチ素子
Ｒ１  第１の抵抗
Ｒ２  第２の抵抗
Ｒ３  第３の抵抗
１  電源回路
２  制御回路
２ａ  電流検出部
３  調光部
４  点灯制御部
５  電源部
１０  ＬＥＤ点灯回路
２０  照明器具
２１  ＬＥＤ光源
２５  センサ部
２５ａ  照度センサ
２５ｂ  人検知センサ
【図１】
0006601769.tif 000002
【図２】
0006601769.tif 000003
【図３】
0006601769.tif 000004
【図４】
0006601769.tif 000005
【図５】
0006601769.tif 000006
【図６】
0006601769.tif 000007
【図７】
0006601769.tif 000008
【図８】
0006601769.tif 000009